(57)【要約】【課題】１回の操作で複数の機器情報を同一画面上に表示し監視作業の負担を軽減する。【解決手段】グラフィック画面、及び監視制御用画面を表示する画像表示部１Ａと、画像表示部１Ａに表示する画面の作成及び制御を行う制御部１Ｂと、プルダウンメニューの項目に対応したシンボルの機器情報を蓄積したデータベース１Ｃとを備え、制御部１Ｂは、画像表示部１Ａに表示されたシンボルのうちの任意のシンボル及びプルダウンメニューの項目の一つを選択する選択手段１１Ｂ、選択手段１１Ｂで選択されたシンボルを判別する判別手段と、選択手段１１Ｂによって選択されたプルダウンメニューの項目に関する監視制御用画面を起動する起動手段１２Ｂ、選択手段１１Ｂによって選択されたシンボルに割り付けられた機器情報をデータベース１Ｃから取得し、監視制御用画面に表示する表示手段１３Ｂ、シンボルの機器情報が全て表示されたか否かを判断する判断手段を備える。【選択図】図２
2011154422.tif 000002
【特許請求の範囲】
【請求項１】
プラントの機器情報に対応したシンボル及びプルダウンメニューを表示するグラフィック画面、並びに上記プルダウンメニューの項目に関する監視制御用画面を表示する画像表示部と、上記画像表示部に表示する画面の作成及び制御を行う制御部と、上記プルダウンメニューの項目に対応した上記シンボルの機器情報を蓄積したデータベースとを備えたプラント監視制御装置であって、
上記制御部は、上記画像表示部のグラフィック画面上に表示された上記シンボルのうちの任意の数のシンボル及び上記プルダウンメニューの項目を選択する選択手段と、
上記選択手段で選択されたシンボルを判別する判別手段と、
上記選択手段によって選択された上記プルダウンメニューの項目に関する上記監視制御用画面を起動する起動手段と、
上記選択手段によって選択された上記シンボルに割り付いている機器情報を上記選択された上記プルダウンメニューの項目に対応するデータベースから取得し、上記監視制御用画面に表示する表示手段と、
上記選択されたシンボルの機器情報が全て表示されたか否かを判断する判断手段とを備えたことを特徴とするプラント監視装置。
【請求項２】
上記グラフィック画面及び監視制御用画面が起動された状態の上記画像表示部において、上記選択手段は、新たに上記シンボルのうちの任意の数のシンボルをマウスクリックで選択し上記監視制御用画面にドラッグし、ドロップし、上記表示手段は、上記ドラッグし、ドロップした上記シンボルに割り付いている機器情報を上記選択された上記プルダウンメニューの項目に対応するデータベースから取得し、上記監視制御用画面に追加表示することを特徴とする請求項１に記載のプラント監視装置。
【発明の詳細な説明】
【技術分野】
【０００１】
この発明は、水処理プラント等の設備運転状態及び計測値を表示するプラント監視制御装置に関するものである。
【背景技術】
【０００２】
従来のプラント監視制御装置においては、単一の監視・制御用画面の機器シンボル、数値シンボルに割り付けられている信号毎に、プラント監視機能(イベント履歴、トレンドグラフ、計装制御)を表示していた。（例えば、特許文献１参照）
【先行技術文献】
【特許文献】
【０００３】
【特許文献１】特開２０００−３３９０２３号公報（第５頁、図１-図２）
【発明の概要】
【発明が解決しようとする課題】
【０００４】
水処理プラントのプラント監視制御装置は、その範囲の広域化・高度化に伴い、監視対象となる装置が多くなっており、監視に必要な情報も大量となってきている。上記特許文献のように、これら大量の情報から、複数の機器情報を確認するには、監視画面上の機器シンボルを一つずつ選択して表示する操作を複数回行わなければならず、監視作業に対する負担が大きいという問題があった。
【０００５】
この発明は上記のような問題を解決するためになされたものであり、１回の操作で複数の機器情報を同一画面上に表示することにより監視作業に対する負担を軽減することを目的とする。
【課題を解決するための手段】
【０００６】
この発明に係るプラント監視装置は、プラントの機器情報に対応したシンボル及びプルダウンメニューを表示するグラフィック画面、並びに上記プルダウンメニューの項目に関する監視制御用画面を表示する画像表示部と、上記画像表示部に表示する画面の作成及び制御を行う制御部と、上記プルダウンメニューの項目に対応した上記シンボルの機器情報を蓄積したデータベースとを備えたプラント監視制御装置であって、
上記制御部は、上記画像表示部のグラフィック画面上に表示された上記シンボルのうちの任意の数のシンボル及び上記プルダウンメニューの項目を選択する選択手段と、
上記選択手段で選択されたシンボルを判別する判別手段と、
上記選択手段によって選択された上記プルダウンメニューの項目に関する上記監視制御用画面を起動する起動手段と、
上記選択手段によって選択された上記シンボルに割り付いている機器情報を上記選択された上記プルダウンメニューの項目に対応するデータベースから取得し、上記監視制御用画面に表示する表示手段と、
上記選択されたシンボルの機器情報が全て表示されたか否かを判断する判断手段とを備えたものである。
【発明の効果】
【０００７】
この発明に係るプラント監視装置によれば、プラントの機器情報に対応したシンボル及びプルダウンメニューを表示するグラフィック画面、並びに上記プルダウンメニューの項目に関する監視制御用画面を表示する画像表示部と、上記画像表示部に表示する画面の作成及び制御を行う制御部と、上記プルダウンメニューの項目に対応した上記シンボルの機器情報を蓄積したデータベースとを備えたプラント監視制御装置であって、
上記制御部は、上記画像表示部のグラフィック画面上に表示された上記シンボルのうちの任意の数のシンボル及び上記プルダウンメニューの項目を選択する選択手段と、
上記選択手段で選択されたシンボルを判別する判別手段と、
上記選択手段によって選択された上記プルダウンメニューの項目に関する上記監視制御用画面を起動する起動手段と、
上記選択手段によって選択された上記シンボルに割り付いている機器情報を上記選択された上記プルダウンメニューの項目に対応するデータベースから取得し、上記監視制御用画面に表示する表示手段と、
上記選択されたシンボルの機器情報が全て表示されたか否かを判断する判断手段とを備えたので、１回の操作で複数の機器情報を同一画面上に表示することができ、監視制御作業に対する負担を軽減することができる。
【図面の簡単な説明】
【０００８】
【図１】この発明に係るプラント監視制御装置における実施の形態１の画像表示部を示す図である。
【図２】この発明に係るプラント監視制御装置の実施の形態１の構成を示すブロック図である。
【図３】実施の形態１における動作を示すフローチャートである。
【図４】この発明に係るプラント監視制御装置における実施の形態２の画像表示部を示す図である。
【図５】実施の形態２における動作を示すフローチャートである。
【図６】この発明に係るプラント監視制御装置における実施の形態３の画像表示部を示す図である。
【図７】実施の形態３における動作を示すフローチャートである。
【図８】この発明に係るプラント監視制御装置における実施の形態４の画像表示部を示す図である。
【図９】実施の形態４における動作を示すフローチャートである。
【図１０】この発明に係るプラント監視装置における実施の形態５の画像表示部を示す図である。
【図１１】実施の形態５における動作を示すフローチャートである。
【図１２】この発明に係るプラント監視制御装置における実施の形態６の画像表示部を示す図である。
【図１３】実施の形態６における動作を示すフローチャートである。
【発明を実施するための形態】
【０００９】
実施の形態１．
図１（ａ）及び（ｂ）は、この発明に係るプラント監視制御装置における実施の形態１の画像表示部を示す図である。図１において、画像表示部１Ａの左半分は、監視・制御に用いられる機器情報に対応したシンボルを表示するグラフィック画面であり、グラフィック画面にはプルダウンメニュー４Ａ、シンボルを機器を模擬した形態で表現した機器シンボル１〜８、数値で表現した数値シンボル１１〜１８が表示される。プルダウンメニュー４Ａには、イベント履歴、トレンドグラフ、コントロールパネル（計装制御）といった項目が割り付けられている。画像表示部１Ａの右半分は、監視制御するための監視制御用画面であり、プルダウンメニュー４Ａからマウスカーソル９によって選択された項目に関する表示がなされる部分である。図１（ａ）は、プルダウンメニュー４Ａからイベント履歴が選択される前の状態を示し、図１（ｂ）は、イベント履歴が選択されてイベント履歴表示画面が起動された後の状態を示している。
【００１０】
図２は、この発明に係るプラント監視制御装置における実施の形態１の構成を示すブロック図である。図２に示したように、プラント監視制御装置は、画像表示部１Ａを備えている。画像表示部１Ａは、プラント機器のシンボル、数値シンボル及びプルダウンメニュー４Ａを表示するグラフィック画面並びにプルダウンメニュー４Ａの項目から選択された監視制御用画面を表示する。また、画像表示部１Ａに表示する画面の作成及び制御を行うためのプログラムを有する制御部１Ｂと、イベント履歴、トレンドグラフ及び計装制御それぞれに対応した機器情報を保存したイベント履歴データベース、トレンドグラフデータベース及び計装制御データベースを備えたデータベース１Ｃとを備えている。制御部１Ｂは、画像表示部１Ａ上に表示された任意の数のシンボル及びプルダウンメニュー４Ａの項目を選択する選択手段１１Ｂと、選択手段１１Ｂによって選択されたシンボルを判別する判別手段１５Ｂと、選択手段１１Ｂによって選択されたプルダウンメニュー４Ａの項目に関する監視制御用画面を起動する起動手段１２Ｂと、選択手段１１Ｂによって選択されたシンボルの機器情報が全て表示されたか否かを判断する判断手段１４Ｂと、選択手段１１Ｂによって選択されたシンボルに割り付いている機器情報をデータベース１Ｃから取得し、起動された監視制御用画面に表示する表示手段１３Ｂとを備えている。制御部１Ｂはパソコンやワークステーション等の計算機によって構成することが可能である。
【００１１】
次に、動作について説明する。図１（ａ）に示した状態のグラフィック画面において、マウスカーソル９によるマウスボタン操作を含む選択手段１１Ｂで、画像表示部１Ａのグラフィック画面上の任意の機器シンボルを選択（この実施の形態１では、機器シンボル１，２を選択）して、プルダウンメニュー４Ａの項目を選択（この実施の形態１ではイベント履歴を選択）することにより起動手段１２Ｂで、図１（ｂ）に示したように、監視制御用画面にイベント履歴表示画面が表示され、判別手段１５Ｂ及び判断手段１４Ｂを介して表示手段１３Ｂにより、選択した機器シンボル１，２に割り付けた機器情報に該当するイベント履歴のデータがイベント履歴データベース１Ｃから取得され、イベント履歴表示画面に表示される。
【００１２】
図３は、この実施の形態１における動作を示すフローチャートである。任意の数の機器シンボルを選択手段１Ｂで選択（この実施の形態では、機器シンボル１、２を選択）し、選択された機器シンボルを判別し（ステップＳＴ−１２）、プルダウンメニュー４Ａの項目を選択（この実施の形態１ではイベント履歴を選択）する（ステップＳＴ−１３）と、イベント履歴表示画面が起動される。次に、選択した機器シンボルに割り付けられている機器情報（信号）が表示され（ステップＳＴ−１４））、選択された機器シンボル全てについて表示されたか否かが判断手段１４Ｂにより判断される（ステップＳＴ−１５）。全てについて表示されていれば終了する。この例では、ステップＳＴ−１１で選択した機器シンボル１，２に割り付けられている機器情報に該当するイベント履歴が表示手段１３Ｂによりイベント履歴データベース１３Ｂから取得され、画像表示部１Ａに表示される。
【００１３】
この実施の形態１によれば、複数機器のイベント履歴を１回の操作でイベント履歴表示画面に表示することができる。
【００１４】
実施の形態２．
図４（ａ）及び（ｂ）は、この発明に係るプラント監視制御装置における実施の形態２の画像表示部を示す図である。上記実施の形態１は、複数機器のイベント履歴を表示するものであったが、この実施の形態２は、複数機器のイベント履歴を追加表示するものである。図４（ａ）は、追加表示前の状態を示し、図４（ｂ）は、追加表示後の状態を示している。図４（ａ）には、機器シンボル３をマウスカーソル９によりドラッグしたことで発生するドラッガー３１１が、また、機器シンボル４をマウスカーソル９によりドラッグしたことで発生するドラッガー４１１が表示されている。この実施の形態２においては、図２に示した判別部がドラッグした機器シンボルを判別し、判断部１４Ｂが、ドラッグして監視制御用画面にドロップされたドラッグオブジェクトが、全て追加表示されたか否かを判断する機能を備えている。
【００１５】
次に、動作について説明する。図４（ａ）に示したイベント履歴表示画面が起動された状態で、グラフィック画面上の任意の数の機器シンボルを新たに選択（この実施の形態２では機器シンボル３，４を選択）し、マウスカーソル９によりドラッグし、イベント履歴表示画面にドロップすることで、図４（ｂ）に示したように、選択手段１１Ｂにより選択されたイベント履歴の信号に該当するイベント履歴が表示手段１３Ｂによりイベント履歴データベース１Ｃから取得され、画像表示部１Ａに追加表示される。
【００１６】
図５は、この実施の形態２におけるプラント監視制御装置の動作を示すフローチャートである。イベント履歴表示画面が起動されている状態で、任意の数の機器シンボルを新たにドラッグして選択（ここでは機器シンボル３，４を選択）し（ステップＳＴ−２１）、ドラッグした機器シンボルが判別手段１５Ｂにより判別される（ステップＳＴ−２２）。この場合、選択した機器シンボル３，４に割り付けられている機器情報がドラッグオブジェクトとされる（ステップＳＴ−２３）。このドラッグオブジェクトがイベント履歴表示画面上にドロップされたかどうか（ステップＳＴ−２４）、ドロップされたドラッグオブジェクトがイベント履歴用の機器情報であるか否かが判断手段１４Ｂにより判断され（ステップＳＴ−２５）、イベント履歴用の機器情報であった場合は、イベント履歴表示画面にドロップされた機器情報であるイベント履歴が追加表示される（ステップＳＴ−２６）。ドロップした機器情報が全て追加表示されたか否かが判断手段１４Ｂにより判断され（ＳＴ−２７）、全て追加表示されていれば終了する。
【００１７】
この実施の形態２によれば、追加表示したい複数機器の機器情報であるイベント履歴をドラッグの操作でイベント履歴表示画面に表示することができる。
【００１８】
実施の形態３．
図６（ａ）及び（ｂ）は、この発明に係るプラント監視制御装置における実施の形態３の画像表示部を示す図である。この実施の形態３は、画像表示部１Ａ上の複数の数値シンボルの機器情報をトレンドグラフに表示するものである。図６（ａ）は、トレンドグラフが選択される前の状態を示し、図６（ｂ）は、トレンドグラフが選択されてトレンドグラフ表示画面が起動された状態を示している。
【００１９】
次に、動作について説明する。マウスカーソル９によるマウスボタン操作を含む選択手段１１Ｂで、図６（ａ）に示した状態のグラフィック画面上の任意の数の数値シンボルを選択（この実施の形態では数値シンボル１１，１２を選択）し、プルダウンメニュー４Ａのトレンドグラフを選択することにより、図６（ｂ）に示したように、起動手段１２Ｂによりトレンドグラフ表示画面が起動される。表示手段１３Ｂにより、選択した数値シンボル１１，１２に割り付けられた機器情報に該当するトレンドグラフデータがトレンドグラフデータベース１Ｃから取得され、画像表示部１Ａにトレンドグラフが表示される。
【００２０】
図７は、この実施の形態３におけるＣＲＴ監視制御装置の動作を示すフローチャートである。任意の数の数値シンボルを選択（この実施の形態では数値シンボル１１，１２を選択）し（ステップＳＴ−３１）、選択した数値シンボルが判別手段１５Ｂにより判別される（ＳＴ−３２）。プルダウンメニュー４Ａのトレンドグラフを選択することによってトレンドグラフ表示画面が起動される（ステップＳＴ−３３）。次に、表示手段１３Ｂにより、選択した数値シンボルに割り付けられている機器情報に該当するトレンドグラフデータがトレンドグラフデータベース１Ｃから取得され、トレンドグラフ表示画面に表示される（ステップＳＴ−３４）。選択した数値シンボル全てについて表示されたか否かが判断手段１４Ｂにより判断され（ステップＳＴ−３５）、全てについて表示されていれば終了する。
【００２１】
この実施の形態３によれば、複数機器のトレンドグラフを１回の操作でトレンドグラフ表示画面に表示することができる。
【００２２】
実施の形態４．
図８（ａ）及び（ｂ）は、この発明に係るプラント監視制御装置における実施の形態４の画像表示部を示す図である。上記実施の形態３は、複数機器のトレンドグラフを表示するものであったが、この実施の形態４は、複数機器のトレンドグラフを追加表示する場合である。図８（ａ）は、複数機器のトレンドグラフを追加表示する前のトレンドグラフ表示画面が起動された状態を示し、図８（ｂ）は、複数機器のトレンドグラフを追加表示した後の状態を示している。
【００２３】
図８（ａ）の画像表示部１Ａ上には数値シンボル１３をマウスカーソル９によりドラッグしたことで発生するドラッガー３１２と、数値シンボル４１をマウスカーソル９によりドラッグしたことで発生するドラッガー４１２とが示されている。
【００２４】
次に、動作について説明する。図８（ａ）に示した状態のグラフィック画面上の数値シンボル１３，１４を新たに選択して、マウスカーソル９によりドラッグし、画像表示部１Ａのトレンドグラフ表示画面にドロップすることで、図８（ｂ）に示したように、トレンドグラフ表示画面に選択手段１１ｂにより選択された数値シンボル１３，１４に割り付けられている情報に該当するトレンドグラフデータがトレンドグラフデータベース１Ｃから取得され、画像表示部１Ａにトレンドグラフが追加表示される。
【００２５】
図９は、この実施の形態４におけるプラント監視制御装置の動作を示すフローチャートである。トレンドグラフ表示画面が起動された状態で、選択手段１１Ｂで任意の機器シンボルを選択（この実施の形態では数値シンボル１３，１４を選択）し（ステップＳＴ−４１）、選択した数値シンボルが判別手段１４Ｂで判別され（ステップＳＴ−４２）、ドラッグした数値シンボルに割り付けられている機器情報(信号）をドラッグオブジェクトとする（ステップＳＴ−４３）。トレンドグラフ表示画面上でドロップされたかどうか（ステップＳＴ−４４）、ドロップした機器情報がトレンドグラフ用であるか否か（ステップＳＴ−４５）が判断手段１４Ｂで判断され、このオブジェクトがトレンドグラフ表示画面上にドロップされた（ステップＳＴ−４５）場合は、表示手段１３Ｂにより、トレンドグラフ表示画面にドロップした機器情報が追加表示される（ステップＳＴ−４６）。ドロップされた機器情報が全て追加表示されたか否かが判断手段１４Ｂにより判断され（ステップＳＴ−４７）、トレンドグラフ用の機器情報であった場合は、トレンドグラフ表示画面にドロップされた信全て追加表示されていれば終了する。
【００２６】
この実施の形態４によれば、上述したように、追加表示したい複数機器の機器情報に対応したトレンドグラフをドラッグの操作でトレンドグラフ表示画面に表示することができる。
【００２７】
実施の形態５．
図１０（ａ）及び（ｂ）は、この発明に係るプラント監視制御装置における実施の形態５の画像表示部を示す図である。図１０（ａ）は、コントロールパネル（計装制御）を選択する前の状態を示し、図１０（ｂ）は、コントロールパネル（計装制御）を選択してコントロールパネル画面が起動された状態を示している。
【００２８】
次に、動作について説明する。マウスカーソル９によるマウスボタン操作を含む選択手段１１Ｂで、図１０（ａ）に示した状態のグラフィック画面上の任意の機器シンボルを選択（この実施の形態５では機器シンボル５、６を選択）し、プルダウンメニュー４Ａの計装制御を選択することにより、図１０（ｂ）に示したように、起動手段１２Ｂによりコントロールパネル画面が起動される。コントロールパネル画面には、表示手段１３Ｂにより選択された機器シンボル５，６に割り付けられている機器情報に該当する計装制御データが計装制御データベース１Ｃから取得され表示される。
【００２９】
図１１は、この実施の形態５におけるプラント監視制御装置の動作を示すフローチャートである。選択手段１１Ｂにより、任意の数の機器シンボルを選択（この実施の形態では機器シンボル５、６を選択）し（ステップＳＴ−５１）、選択した機器シンボルが判別手段１５Ｂにより判別される（ステップＳＴ−５２）。プルダウンメニュー４Ａの計装制御を選択することによりコントロールパネル画面が起動される（ステップＳＴ−５３）。選択した機器シンボルに割り付けられている機器情報(信号）が表示手段１３Ｂにより表示される（ステップＳＴ−５４）。選択した機器シンボル全てについて表示されているか否かが判断手段１４Ｂにより判断され（ステップＳＴ−５５）、全て表示されていれば終了する。
【００３０】
この実施の形態５によれば、複数機器の計装制御を１回の操作でコントロールパネル画面に表示することができる。
【００３１】
実施の形態６．
図１２（ａ）及び（ｂ）は、この発明に係るプラント監視制御装置における実施の形態６の画像表示部を示す図である。
上記実施の形態５では、複数機器の計装制御を表示する場合について述べたが、この実施の形態６は複数機器の計装制御を追加表示する場合である。図１２（ａ）は追加表示前のコントロールパネル画面が起動された状態を示し、図１２（ｂ）は追加表示後の状態を示している。
【００３２】
図１２（ａ）の画像表示部１Ａ上には機器シンボル７をマウスカーソル９によりドラッグしたことで発生するドラッガー７１１と、機器シンボル８をマウスカーソル９によりドラッグしたことで発生するドラッガー８１１とが表示されている。
【００３３】
次に、動作について説明する。選択手段１１Ｂで、図１２（ａ）に示す状態のグラフィック画面上の機器シンボル７，８を新たに選択して、マウスカーソル９によりドラッグし、コントロールパネル画面にドロップすることで、コントロールパネル画面にドロップした機器シンボル７，８に割り付けられている機器情報に該当する計装制御データが計装制御データベース１Ｃから取得され表示される。
【００３４】
図１３は、この実施の形態６におけるプラント監視制御装置の動作を示すフローチャートである。コントロールパネル画面が起動された状態において、選択手段１１Ｂで、任意の数の機器シンボルを選択（この実施の形態では機器シンボル７，８を選択）し、ドラッグする（ステップＳＴ−６１）。ドラッグした機器シンボルを判別手段１５Ｂで判別し（ステップＳＴ−６２）、ドラッグした機器シンボルに割り付けられている機器情報（信号）をドラッグオブジェクトとする(ステップＳＴ−６３）。コントロール画面上でドロップしたかどうか（ステップＳＴ−６４）、ドロップした機器情報が計装制御用のものであるか否か（ステップＳＴ−６５）がが判断手段１４Ｂで判断され、ドラッグオブジェクトがコントロールパネル画面上にドロップされ場合に、コントロールパネル画面にドロップされた機器情報に該当する計装制御データが計装制御データベース１Ｃから取得され追加表示される（ステップＳＴ−６６）。ドロップした機器情報が全て追加表示されたか否かが判断手段１４Ｂにより判断され、全て追加表示されいれば終了する。
【００３５】
この実施の形態６によれば、追加表示したい複数機器の計装制御をドラッグの操作でコントロールパネル画面に表示することができる。
【産業上の利用可能性】
【００３６】
この発明に係るプラント監視装置は、水処理プラント、発電プラント等の監視・制御に有効に利用することができる。
【符号の説明】
【００３７】
１〜８  機器シンボル、１Ａ  監視制御用表示装置、１Ｂ  制御部、
１Ｃ  データベース、４Ａ  プルダウンメニュー、９  マウスカーソル、
１１〜１８  数値シンボル、１１Ｂ  選択手段、１２Ｂ  起動手段、１３Ｂ  表示手段、１４Ｂ  判断手段、１５Ｂ  判別手段、
３１１，３１２，４１１，４１２，７１１，８１１  ドラッガー。
【図１】
2011154422.tif 000003
【図２】
2011154422.tif 000004
【図３】
2011154422.tif 000005
【図４】
2011154422.tif 000006
【図５】
2011154422.tif 000007
【図６】
2011154422.tif 000008
【図７】
2011154422.tif 000009
【図８】
2011154422.tif 000010
【図９】
2011154422.tif 000011
【図１０】
2011154422.tif 000012
【図１１】
2011154422.tif 000013
【図１２】
2011154422.tif 000014
【図１３】
2011154422.tif 000015